(57)【要約】本発明によれば、無線通信システムにおいて送信側ではデータストリーム（１、２）のデータパケットがデータストリーム及び／又はサービス固有の識別子でもって特徴付けられる。これによってこのデータパケットは受信側において相応のデータストリームに対応付けられる。それに加え、送信側では各データストリーム（１、２）のデータパケットに対してシーケンス番号（ＳＮ）がデータパケットに付加され、受信器においてデータストリーム（１、２）のデータパケットの本来の順序へと再構築される。このことは、複数のサービスのデータパケット（１、２）が共通のＨＡＲＱプロセスを使用できるという利点を有する。ＨＡＲＱプロセスのために受信側に設けられているメモリを低減することができる。
2005501479.tif 000002
【特許請求の範囲】
【請求項１】
無線通信システムにおいてデータパケットを伝送する方法において、
データストリーム（１、２）のデータパケットをデータストリーム及び／又はサービス固有の識別子（ＩＤ）でもって特徴付け、該データパケットを受信側において相応のデータストリーム（１、２）に対応付けることを特徴とする、無線通信システムにおいてデータパケットを伝送する方法。
【請求項２】
データストリーム（１、２）の前記データパケットを付加的にそれぞれのデータストリーム及び／又はサービス固有のシーケンス番号（ＳＮ）によって特徴付ける、請求項１記載の方法。
【請求項３】
前記シーケンス番号（ＳＮ）をデータストリーム（１、２）の複数のデータパケットに割り当てる、請求項２記載の方法。
【請求項４】
前記データパケットの正しい受信または誤りのある受信の確認をＨＡＲＱ方法により実施する、請求項１から３までのいずれか１項記載の方法。
【請求項５】
受信側において実現される受信メモリ（１０）に、複数のデータストリーム（１、２）の受信したデータパケットを記憶する、請求項１から４までのいずれか１項記載の方法。
【請求項６】
受信した複数のデータパケットをデータストリーム及び／又はサービス固有の並べ替えメモリ（１４、１５）に記憶して、本来の順序にする、請求項１から５までのいずれか１項記載の方法。
【請求項７】
送信側において実現される伝送メモリ（７）に、複数のデータストリーム（１、２）の送信したデータパケットを記憶する、請求項１から６までのいずれか１項記載の方法。
【請求項８】
データパケットを伝送するための無線通信システムの無線局において、
データストリーム及び／又はサービス固有の識別子（ＩＤ）をデータストリーム（１、２）のデータパケットに付加する送信側の手段を有することを特徴とする、データパケットを伝送するための無線通信システムの無線局。
【請求項９】
データストリーム及び／又はサービス固有のそれぞれのシーケンス番号（ＳＮ）をデータストリーム（１、２）のデータパケットに付加する手段を有する、請求項８記載の無線局。
【請求項１０】
データパケットの正しい受信または誤りのある受信を確認するためにＨＡＲＱ方法を実施する手段を有する、請求項８または９記載の無線局。
【請求項１１】
複数のデータストリーム（１、２）のデータパケットを記憶するための受信側の受信メモリ（１０）を有する、請求項８から１０までのいずれか１項記載の無線局。
【請求項１２】
複数のデータストリーム（１、２）の送信されたデータパケットを記憶するための送信側の伝送メモリ（７）を有する、請求項８から１１までのいずれか１項記載の無線局。
【請求項１３】
加入者局（ＵＥ）及び／又は基地局（ＮＢ）として構成されている、請求項８から１２までのいずれか１項記載の無線局。
【発明の詳細な説明】
【技術分野】
【０００１】
本発明は無線通信システム、殊に移動無線システムにおいてデータパケットを伝送するための方法及び無線局に関する。
【０００２】
無線通信システムにおいては、情報（例えば音声、画像情報または他のデータ）は電磁波を用いて無線インタフェースを介して送信側と受信側の無線局（基地局ないし移動局）間で伝送される。電磁波の放射はそれぞれのシステムに対して設けられている周波数帯域内の搬送周波数でもって行われる。無線インタフェースを介するＣＤＭＡ伝送方式またはＴＤ／ＣＤＭＡ伝送方式を用いる将来的な移動無線システム、例えばＵＭＴＳ（Universal Mobile Telecommunication System）または他の第３世代のシステムには、約２０００ＭＨｚの周波数帯域にある周波数が予定されている。周波数分割多重（ＦＤＭＡ）、時分割多重（ＴＤＭＡ）または符号分割多重（ＣＤＭＡ）として公知の方式は信号源の区別に使用される。
【０００３】
現在ＵＭＴＳシステムの標準化の枠内においては、パケットデータの効率的な伝送を実現する方法が規格化されている。ここで重要とされる技術はいわゆるハイブリッドＡＲＱ（ＨＡＲＱ）方法である。ハイブリッドＡＲＱ方法は、受信した誤りのあるデータパケットを受信器のメモリに記憶し、後続のデータパケットの再度のまた場合によっては変更された伝送と組み合わせることを可能にする。これによって、誤りのあるデータパケットは破棄される公知の純粋なＡＲＱ方法に比べ、有利には誤りのあるデータパケットによっても受信品質を向上させることができる。受信側のメモリにおいて確保されるデータパケットは、データ伝送及びデータ分析における不必要な遅延が生じないようにするために非常に高速に読み出す必要がある。この特性を備えたメモリは通常高価である。
【０００４】
ＵＭＴＳ標準のために現在規格化されている、いわゆる高速ダウンリンク・パケット・アクセス（ＨＳＤＰＡ）のシステムにはそれに加え、種々のＱｏＳ（サービスの品質、Quality of Service）要求を有する種々のサービスを同時に使用できるようにする要求が課されている。データのこれら種々のＱｏＳ要求はＨＡＲＱプロセスにおけるそれぞれのデータの異なる処理も必要とする。さらには受信器に到来するサービスのデータパケットは再び正しい順序にすることができるべきである。受信器はデータパケットを通常の場合正しい順序では受信しない。何故ならば個々のデータパケットは無線インタフェースを介する伝送中に妨害される可能性があり、その場合にはこのデータパケットをＡＲＱ方法によって新たに要求しなければならず、他方では本来的に遅れて送信された別のデータパケットは即座に正しく受信されるからである。
【０００５】
この要求を充足するために各サービスに対して別個のＨＡＲＱプロセスを行うことが提案される。しかしながらこのことは、ＨＡＲＱプロセスに必要とされるメモリの大きさが種々のサービスの数と共に増大し、したがって大きい且つ高価なメモリないし複数のメモリを保持しなければならないという欠点を有する。
【０００６】
本発明の課題は、メモリの効率的な使用を実現する方法及び無線局を提供することである。この課題は独立請求項による方法及び無線局によって解決される。本発明の有利な実施形態は従属請求項から得られる。
【０００７】
本発明によれば、複数のサービスのデータストリームは共通のＨＡＲＱプロセスを使用することが提案される。これによって有利には、受信側においてＨＡＲＱプロセスのために保持すべきメモリを冒頭で述べた方法に比べ低減することができる。
【０００８】
サービスの種々のＱｏＳ要求を区分するために、伝送すべき及び／又は送信側において記憶されているデータパケットを相応の要求と結合することができる。この結合は例えば、各データパケットが別の伝送の考えられる数に関するステータスと結合されるように行うことができる。このことは場合によっては伝送時の起こりうる最大限の遅延に依存する。例えば音声またはビデオ伝送のようなリアルタイムサービスは、例えばインターネット内容のダウンロードのような非リアルタイムサービスに比べ、起こりうる最大限の遅延は小さい。
【０００９】
いわゆる並べ替え（Reordering）バッファ、すなわち受信側のメモリを各サービスに対して別個に設けることができ、このメモリを用いて受信側のデータパケットはさらなる処理の前に再びデータストリームの本来の順序にされる。このメモリは比較的緩慢であり、したがって廉価であるので、複数の大きいメモリを保持することができる。
【００１０】
本発明による方法を実施例に基づき詳細に説明する。ここで、
図１は、無線通信システムの構造のブロック図を示し、
図２は、送信側及び受信側の無線局における、本発明による方法の経過の概略的なブロック図を示し、
図３は、無線インタフェースを介する伝送のためのデータパケットの構造を示す。
【００１１】
図１は、相互に接続されている複数の交換装置ＭＳＣを有する無線通信システムの例を示す。通常これらの交換装置の少なくとも１つが、例えば固定網通信システムのような別の通信システムとのアクセスを形成する。交換装置ＭＳＣには、無線通信システムの送受信装置としての基地局ＮＢ（ノードＢ）が接続されている。基地局ＮＢは通信コネクションを介して端末装置、殊に加入者端末装置ＵＥ（加入者機器、User Equipment）と接続されており、この端末装置は移動端末装置または固定端末装置であって良い。
【００１２】
図１に示されている基地局ＮＢと加入者端末装置ＵＥとの間には、加入者端末装置ＵＥから基地局ＮＢへの上り方向（アップリンク）及び／又は基地局ＮＢから加入者端末装置ＵＥへの下り方向（ダウンリンク）での単方向または双方向通信コネクションが存在する。
【００１３】
図２は送信無線局Ｔｘ（伝送）及び受信無線局Ｒｘ（受信）の機能及び装置の概略図を示す。送信及び受信に関する機能をそれぞれ加入者局ないし基地局において実現することができる。
【００１４】
先ず、送信側において無線インタフェースを介する伝送のためのデータが選択される。図２の例においては種々のサービスのデータが２つのデータストリーム１、２によって表されている。ステップ３ではデータストリーム、図示した例ではデータストリーム１並びに可能な伝送チャネル及び／又は伝送フォーマットが選択される。引き続きステップ４では、データストリーム１のデータパケットにデータストリーム識別子が設けられる。ここで、データストリームの複数のデータパケットを同時に伝送できる場合には、これらのデータパケットを連結（英語concatenated）することができる。さらにステップ４では、データパケットにはデータストリームないしサービス固有のシーケンス番号が設けられる。続けてステップ５では、データパケットにいわゆるＣＲＣチェックサムがそれぞれ付加され、このＣＲＣチェックサムによって受信側において伝送誤りを識別することができる。
【００１５】
このように補完されたデータパケットＤＰが図３に例示的に示されている。データパケットＤＰのヘッダフィールドＨ（ヘッダ）はデータストリーム識別子ＩＤ及びシーケンス番号ＳＮ（順序番号）によって補完されたものである。ヘッダフィールドＨ及び本来の有効データＤにチェックサムＣＲＣが続き終わる。データパケットＤＰは同様に、本発明の範囲を逸脱することなく、図示した組み合わせとは異なる個々の要素の組み合わせでも実現することができる。
【００１６】
続けてステップ６においてデータストリーム１のデータパケットは、伝送に誤りがある場合に再度伝送するために保持される送信側の伝送メモリ７に記憶されているデータパケットと時間的に多重化され、ステップ８において無線インタフェースを介して受信無線局Ｒｘへと伝送される。送信されたそれぞれのデータパケットは、受信の肯定的な確認を受信するか、例えば起こりうる最大限の伝送遅延のようなＱｏＳ要求に基づきデータパケットの再度の伝送は意味がなくなるまで伝送メモリに保持される。
【００１７】
ステップ９では受信無線局Ｒｘにおいてデータパケットが受信され、高速受信メモリ１０に記憶される。引き続きステップ１１ではデータパケットのチェックサムＣＲＣがそれぞれ検査される。ステップ１１においてチェックサムは正しいことが判明すると、ステップ１２において送信無線局ＴｘにはＡＣＫ（肯定応答）メッセージを用いて、データパケットの受信は成功したことがシグナリングされる。次いでこのデータパケットを伝送メモリ７及び受信メモリ１０から消去することができる。これに対しステップ１１においてデータパケットの受信に誤りがあり、且つこの誤りを冗長によって除去することができないことが判明すると、ステップ１２において送信無線局ＴｘにはＮＡＣＫ（否定応答）メッセージを用いて、このデータパケットは再度伝送されなければならないことがシグナリングされる。このことはデータパケットが正しく受信されるかまたは、場合によって起こりうる最大限の伝送遅延を上回るまで、このデータパケットが伝送メモリ７及び受信メモリ１０に保持されることを意味する。
【００１８】
ステップ１３では受信無線局Ｒｘにおいて、適切に受信されたデータストリームのデータパケットがデータストリーム識別子を用いて、サービス固有の並べ替えメモリ１４ないし１５に割り当てられ、この並べ替えメモリ１４ないし１５においてデータストリームのデータパケットは本来の順序へと再構築される。これらのデータストリーム１ないし２はそれぞれ引き続き受信側において公知のようにさらに処理される。個々のデータストリームのデータパケットはデータストリーム識別子によって一義的に対応付けることができるので、並べ替えメモリを択一的に全てのサービスに対して共通的に使用することもできる。
【図面の簡単な説明】
【００１９】
【図１】無線通信システムの構造のブロック図である。
【図２】本発明による方法のフローチャートの概略図である。
【図３】無線インタフェースを介して伝送するためのデータパケットの構造である。
【国際公開パンフレット】
2005501479.tif 000003
2005501479.tif 000004
2005501479.tif 000005
2005501479.tif 000006
2005501479.tif 000007
2005501479.tif 000008
2005501479.tif 000009
2005501479.tif 000010
2005501479.tif 000011
2005501479.tif 000012
2005501479.tif 000013
2005501479.tif 000014
2005501479.tif 000015
2005501479.tif 000016
【手続補正書】
【提出日】平成15年11月10日(2003.11.10)
【手続補正１】
【補正対象書類名】特許請求の範囲
【補正対象項目名】全文
【補正方法】変更
【補正の内容】
【特許請求の範囲】
【請求項１】
無線通信システムにおいてＨＡＲＱプロセスによりデータパケットを伝送する方法において、
送信側において少なくとも２つのデータストリーム（１、２）のデータパケットを、受信側において相応のデータストリーム（１、２）へと対応付けるためにデータストリーム及び／又はサービス固有の識別子（ＩＤ）でもってそれぞれ特徴付け、該少なくとも２つのデータストリーム（１、２）に対して共通のＨＡＲＱプロセスを使用することを特徴とする、無線通信システムにおいてＨＡＲＱプロセスによりデータパケットを伝送する方法。
【請求項２】
前記少なくとも２つのデータストリーム（１、２）のデータパケットを、付加的にデータストリーム及び／又はサービス固有のシーケンス番号（ＳＮ）でもってそれぞれ特徴付ける、請求項１記載の方法。
【請求項３】
データストリーム（１、２）の複数のデータパケットを同時に伝送するために該データパケットを結合し、前記シーケンス番号（ＳＮ）をデータストリーム（１、２）の複数のデータパケットに割り当てる、請求項２記載の方法。
【請求項４】
前記ＨＡＲＱプロセスは前記データパケットの正しい受信または誤りのある受信の確認を実施する、請求項１から３までのいずれか１項記載の方法。
【請求項５】
受信側において実現される受信メモリ（１０）に、複数のデータストリーム（１、２）の受信したデータパケットを記憶する、請求項１から４までのいずれか１項記載の方法。
【請求項６】
受信した複数のデータパケットを、データストリーム及び／又はサービス固有の並べ替えメモリ（１４、１５）に記憶し、割り当てられた前記シーケンス番号（ＳＮ）を用いて本来の順序にする、請求項２から５までのいずれか１項記載の方法。
【請求項７】
送信側において実現される伝送メモリ（７）に、複数のデータストリーム（１、２）の送信したデータパケットを記憶する、請求項１から６までのいずれか１項記載の方法。
【請求項８】
ＨＡＲＱプロセスによりデータパケットを伝送する無線通信システムの無線局において、
データストリーム及び／又はサービス固有のそれぞれの識別子（ＩＤ）を少なくとも２つのデータストリーム（１、２）のデータパケットに付加し、該少なくとも２つのデータストリーム（１、２）に対して共通のＨＡＲＱプロセスを実施する手段を有することを特徴とする、ＨＡＲＱプロセスによりデータパケットを伝送する無線通信システムの無線局。
【請求項９】
データストリーム及び／又はサービス固有のシーケンス番号（ＳＮ）を前記少なくとも２つのデータストリーム（１、２）のデータパケットにそれぞれ付加する手段を有する、請求項８記載の無線局。
【請求項１０】
データパケットの正しい受信または誤りのある受信をＨＡＲＱプロセスにおいて確認する手段を有する、請求項８または９記載の無線局。
【請求項１１】
前記少なくとも２つのデータストリーム（１、２）のデータパケットを記憶するための受信側の受信メモリ（１０）を有する、請求項８から１０までのいずれか１項記載の無線局。
【請求項１２】
前記少なくとも２つのデータストリーム（１、２）の送信したデータパケットを記憶するための送信側の伝送メモリ（７）を有する、請求項８から１１までのいずれか１項記載の無線局。
【請求項１３】
加入者局（ＵＥ）または基地局（ＮＢ）として構成されている、請求項８から１２までのいずれか１項記載の無線局。
【国際調査報告】
2005501479.tif 000017
2005501479.tif 000018
2005501479.tif 000019
2005501479.tif 000020
2005501479.tif 000021
2005501479.tif 000022